Podtech/llm-jp-corpus-v4-ja_patent huggingface dataset:
【手続補正書】
【提出日】平成25年8月1日(2013.8.1)
【手続補正１】
【補正対象書類名】特許請求の範囲
【補正対象項目名】全文
【補正方法】変更
【補正の内容】
【特許請求の範囲】
【請求項１】
口腔内へ供給する洗浄水を生成・貯留する洗浄水生成タンク（20）と、
一端が洗浄水生成タンク（20）に接続される給水路（31）と、該洗浄水生成タンク（20）内の洗浄水を上記給水路（31）へ搬送する搬送部（32）と、上記給水路（31）の流出端に接続されて上記洗浄水を口腔内へ放出する放出部（33,90,95）とを含む給水機構（30）と、
上記洗浄水生成タンク（20）内の水中でストリーマ放電を生起するための電極対（51,52）と、該電極対（51,52）に電圧を印加する電源部（65）とを有し、上記ストリーマ放電によって水中で過酸化水素を生成するように構成された放電発生機（50）とを備えていることを特徴とする口腔洗浄装置。
【請求項２】
請求項１において、
上記電源部（65）は、上記電極対（51,52）に直流電圧を印加する直流電源（65）で構成され、
上記放電発生機（50）は、上記電極対（51,52）の間の電流経路の電流密度を上昇させる電流密度集中部材（55）を備えていることを特徴とする口腔洗浄装置。
【請求項３】
請求項１又は２において、
上記放出部（33）は、上記洗浄水が放出される流出口（36）が形成される本体部（34）と、該本体部（34）の表面に形成されるブラシ部（35）とを含んでいることを特徴とする口腔洗浄装置。
【請求項４】
請求項１乃至３のいずれか１つにおいて、
上記放出部（95）は、上記洗浄水を噴霧する噴霧部（95）を含んでいることを特徴とする口腔洗浄装置。
【請求項５】
請求項１乃至４のいずれか１つにおいて、
上記口腔内の洗浄水を吸引して外部に排出する吸引部（41）を含む排水機構（40）を備えていることを特徴とする口腔洗浄装置。
【請求項６】
請求項５において、
上記口腔内への上記洗浄水の給水動作と、該口腔内からの洗浄水の排水動作とが所定時間毎に交互に行われるように、又は上記給水動作と排水動作とが同時に行われるように、上記給水機構（30）と上記排水機構（40）とを制御する制御部（70）を備えていることを特徴とする口腔洗浄装置。
【請求項７】
請求項２乃至６のいずれか１つにおいて、
上記電流密度集中部材（55）は、少なくとも１つの開口（58）が形成された絶縁性の容器状に形成され、上記電極対（51,52）のうちの一方の電極（51）だけを囲むように配置されていることを特徴とする口腔洗浄装置。
【請求項８】
請求項１乃至７のいずれか１つにおいて、
上記給水機構（30）には、上記洗浄水生成タンク（20）と上記放出部（33,90,95）との間の給水路（31）に、中継タンク（80）が接続されていることを特徴とする口腔洗浄装置。
【手続補正書】
【提出日】平成25年7月24日(2013.7.24)
【手続補正１】
【補正対象書類名】特許請求の範囲
【補正対象項目名】全文
【補正方法】変更
【補正の内容】
【特許請求の範囲】
【請求項１】
遊技媒体を収容するための遊技媒体用容器であって、
上面が開放され、内部に遊技媒体を収容することができる容器本体と、
前記容器本体の側面下部に形成され、前記容器本体内の遊技媒体を流出させるための流出窓と、
前記容器本体側面に沿ってスライドすることによって前記流出窓を開閉するシャッターと、
を含むことを特徴とする、遊技媒体用容器。
【請求項２】
前記シャッターにおいて下部だけが前記容器本体内部に露出されるように前記シャッターを前記容器本体の内側から覆うカバーを含むことを特徴とする、請求項１記載の遊技媒体用容器。
【請求項３】
前記シャッターは、前記容器本体の外側に配置される外側シャッターと、前記容器本体の内側に配置される内側シャッターとを含む２重構造であることを特徴とする、請求項１または２記載の遊技媒体用容器。
【請求項４】
前記外側シャッターは、途中まで開いたときに前記内側シャッターを開位置へ向けて押圧する押圧部材を備え、
前記外側シャッターが開く途中で、前記内側シャッターが、前記押圧部材に押圧されることによって前記外側シャッターに遅れて開くことを特徴とする、請求項３記載の遊技媒体用容器。
【請求項５】
前記容器本体の内部の底面は、前記流出窓ヘ向かって下向きに傾斜していることを特徴とする、請求項１〜４のいずれかに記載の遊技媒体用容器。
【請求項６】
前記容器本体には、遊技媒体を計数する遊技媒体計数装置に連結される被連結部が設けられていることを特徴とする、請求項１〜５のいずれかに記載の遊技媒体用容器。
【請求項７】
請求項１〜６のいずれかに記載の遊技媒体用容器と、遊技媒体を計数する遊技媒体計数装置とを含む遊技媒体計数システムであって、
前記遊技媒体計数装置は、
装置本体と、
前記容器を連結することのできる前記装置本体の下部に設けられた連結部と、
前記装置本体の下部に設けられ、前記連結部に連結された前記容器の流出窓から流出される遊技媒体を受け入れる下部受入部と、
を含むことを特徴とする、遊技媒体計数システム。
【請求項８】
前記容器の容器本体には、前記遊技媒体計数装置の連結部に連結される被連結部が設けられていて、
前記遊技媒体計数装置は、
前記連結部に連結された前記容器の被連結部をロックするためのロック部材と、
前記ロック部材が前記被連結部をロックしているか否かを検出するためのロック状態検出手段と、
を含むことを特徴とする、請求項７記載の遊技媒体計数システム。
【請求項９】
前記遊技媒体計数装置は、
前記下部受入部に受け入れられている遊技媒体が所定量未満であるか否かを検出するための遊技媒体量検出手段と、
前記下部受入部に受け入れられている遊技媒体が前記所定量未満であることを前記遊技媒体量検出手段が検出したのに応じて、前記ロック部材による前記被連結部のロックを解除するロック解除手段と、
を含むことを特徴とする、請求項８記載の遊技媒体計数システム。
【請求項１０】
前記遊技媒体計数装置は、前記連結部に前記容器の被連結部が連結された状態で、前記シャッターを開閉する開閉手段を含むことを特徴とする、請求項８または９記載の遊技媒体計数システム。
【手続補正２】
【補正対象書類名】明細書
【補正対象項目名】０００８
【補正方法】変更
【補正の内容】
【０００８】
請求項１記載の発明は、遊技媒体を収容するための遊技媒体用容器であって、上面が開放され、内部に遊技媒体を収容することができる容器本体と、前記容器本体の側面下部に形成され、前記容器本体内の遊技媒体を流出させるための流出窓と、前記容器本体側面に沿ってスライドすることによって前記流出窓を開閉するシャッターと、を含むことを特徴とする、遊技媒体用容器である。
【手続補正３】
【補正対象書類名】明細書
【補正対象項目名】００１５
【補正方法】変更
【補正の内容】
【００１５】
請求項１記載の発明によれば、遊技媒体用容器の容器本体は、上面が開放され、内部に遊技媒体を収容することができる。容器本体の側面下部には、容器本体内の遊技媒体を流出させるための流出窓が形成されていて、シャッターが、容器本体側面に沿ってスライドすることによって流出窓を開閉する。
この場合、シャッターが容器本体側面に沿って略垂直に延びていることから、シャッターには容器本体内の遊技媒体の重力が作用しにくいので、シャッターの円滑な開閉が可能である。
【手続補正書】
【提出日】平成25年7月10日(2013.7.10)
【手続補正１】
【補正対象書類名】特許請求の範囲
【補正対象項目名】全文
【補正方法】変更
【補正の内容】
【特許請求の範囲】
【請求項１】
係止穴が形成された帯状のシート材を重ねたものを挟み留めるための留め具であって、
前記係止穴に通すための係止突部が形成されたオスクリップ部と、
当該オスクリップ部とヒンジ部によりつながっており、前記オスクリップ部との間に前記シート材を挟むための隙間を形成した状態で前記オスクリップ部に係止可能なメスクリップ部と、
前記隙間に挟まれる前記シート材の少なくとも一部をその幅方向に切断するための切断刃とを有し、
当該切断刃は、前記隙間に重なった状態で挟まれる複数枚の前記シート材のうち、当該切断刃の刃先に面している層の前記シート材を切断可能に構成されていることを特徴とする留め具。
【請求項２】
請求項１において、
前記隙間を前記シート材の積層方向に仕切る仕切り板を有し、
前記切断刃は、前記オスクリップ部または前記メスクリップ部の前記仕切り板に面する部位、もしくは、前記仕切り板における前記オスクリップ部または前記メスクリップ部に面する部位に形成されており、
前記切断刃の刃先は、前記隙間に挟まれる前記シート材の厚み方向に延びていることを特徴とする留め具。
【請求項３】
請求項２において、
前記切断刃の基端部から刃先までの長さが前記シート材の厚み以下であることを特徴とする留め具。
【請求項４】
請求項１において、
前記切断刃は、前記オスクリップ部または前記メスクリップ部の外周縁における少なくとも前記シート材の側端と交差する部分に形成されていることを特徴とする留め具。
【請求項５】
請求項４において、
前記切断刃の刃先形状が鋸状であることを特徴とする留め具。
【請求項６】
請求項１ないし５のいずれかの項において、
前記切断刃による切断方向が前記シート材の幅方向となるように、前記切断刃を前記シート材に対して位置決めするための位置決め部を有することを特徴とする留め具。
【請求項７】
請求項６において、
前記シート材には、前記係止穴が所定間隔で形成されており、
前記位置決め部は、
前記オスクリップ部において前記係止穴と同一の配置間隔で形成された２以上の前記係止突部を備えることを特徴とする留め具。
【請求項８】
請求項１ないし７のいずれかの項において、
前記シート材の一方の側端から前記係止穴までの寸法Ｌ１が、他方の側端から前記係止穴までの寸法Ｌ２よりも大きい場合には、
前記ヒンジ部から前記係止突部までの寸法Ｌと、前記寸法Ｌ１および寸法Ｌ２との大小関係が、Ｌ２≦Ｌ＜Ｌ１となるように設定されていることを特徴とする留め具。
【請求項９】
請求項１ないし８のいずれかの項において、
前記シート材は、一端および他端に前記係止穴が形成されたリストバンドであり、
当該リストバンドの前記一端および他端を重ねて挟み留めるためのリストバンド用留め具として使用されることを特徴とする留め具。
【手続補正２】
【補正対象書類名】明細書
【補正対象項目名】００１１
【補正方法】変更
【補正の内容】
【００１１】
本発明は、このように、帯状のシート材を重ねたものを挟み留めるための留め具に、シート材を幅方向に切断するための切断刃を設けている。従って、切断用具を別途用意しなくとも不要な部分を切断でき、切断時の作業性および作業時間を短縮できる。また、切断刃に沿って切断できるため、ピンを刺して形成した裂け目を起点として手で引きちぎる場合のように、切断部が見苦しくなるおそれがなく、係止穴を損傷するおそれもない。更に、本発明では、重ねて挟み留めたシート材のうち、切断刃の刃先と面している層（例えば、刃先と対峙する層、あるいは、刃先に沿って延びる層など）のシート材を切断できるように構成している。このようにすると、重ねたシート材のうちの不要な一枚のみを切断し、その下に重なっているシート材については切断しないようにすることができる。よって、例えば、リストバンドの留め具に適用した場合には、留め具からはみ出した長さ調整用の端部の余った部分のみを切断でき、その下に重なっているリストバンドとして必要な部分（輪になった部分）を切断せずに残しておくことができる。
【手続補正書】
【提出日】平成25年8月27日(2013.8.27)
【手続補正１】
【補正対象書類名】特許請求の範囲
【補正対象項目名】全文
【補正方法】変更
【補正の内容】
【特許請求の範囲】
【請求項１】
複数の測定部を備えた血圧測定装置であって、
前記測定部は、超音波を血管に送出する機能と、前記血管から反射する前記超音波を取得する機能とを備え、
前記超音波によって前記血管の血流速度と血管径とを計測する計測部と、
複数の前記測定部で測定した前記血管径の差と、複数の前記測定部が配置される位置の間の距離に応じた水頭差と、に基づいて血圧の変化量を算出する血圧変化量算出部と、
前記血圧の変化量と前記血流速度と前記血管径とに基づいて前記血管の前記血圧を算出する血圧算出部と、
を有する、
ことを特徴とする血圧測定装置。
【請求項２】
請求項１に記載の血圧測定装置において、
複数の前記測定部の間の重力方向の距離を決定する高低差決定部をさらに備える、
ことを特徴とする血圧測定装置。
【請求項３】
請求項１又は２に記載の血圧測定装置において、
複数の前記測定部の間の重力方向の距離は、複数の前記測定部が配置される位置の間の距離と、複数の前記測定部の重力方向との傾き角度とによって算出される、
ことを特徴とする血圧測定装置。
【請求項４】
血管の血管径と血流速度を測定する工程と、
前記血流速度を前記血管径の二乗値で除算した値に基づいて計数値を求める工程と、
前記血管径、前記血流速度、及び前記係数値とを用いて前記血圧を求める工程と、
を有することを特徴とする血圧測定方法。
【手続補正書】
【提出日】平成25年8月22日(2013.8.22)
【手続補正１】
【補正対象書類名】特許請求の範囲
【補正対象項目名】全文
【補正方法】変更
【補正の内容】
【特許請求の範囲】
【請求項１】
血管に送出した超音波の反射波を取得し、前記血管からの第１の反射波と第２の反射波との到達時間差を計測する血管径センサーと、
前記血管径センサーが配置される第１位置と第２位置との高さの差を決定する高さ決定部と、
を備えた脈圧測定装置であって、
前記到達時間差に基づいて、前記血管の径を求める血管径演算部と、
前記高さの差に基づいて水頭圧を求める水頭圧演算部と、
前記血管の径と前記水頭圧とから前記血管の脈圧を求める脈圧演算部と、
を有することを特徴とする脈圧測定装置。
【請求項２】
請求項１に記載の脈圧測定装置において、
前記高さ決定部は、前記第１位置と前記第２位置との鉛直方向の前記高さの差を求める高さ計測センサーを含み、
前記水頭圧は、前記高さ計測センサーにより測定された前記高さの差を用いて求めらることを特徴とする脈圧測定装置。
【請求項３】
請求項１又は２に記載の脈圧測定装置において、
前記脈圧演算部は、
前記制御部に入力された前記水頭圧と前記血管径との比に基づいて、前記脈圧と前記血管径との間の関係式を予め設定しておき、
前記関係式に前記第２位置における前記血管径の計測値を適用することによって脈圧を求める演算を実行することを特徴とする脈圧測定装置。
【請求項４】
被験者の所定の部位の血管径を測定する工程と、
前記被験者の第１位置と第２位置との高低差を決定する工程と、
前記高さの差に基づいて前記第１位置と前記第２位置との間の水頭圧値を求める工程と、
前記血管径と前記水頭圧とを用いて脈圧を求める工程と、
を有することを特徴とする脈圧測定方法。
【請求項５】
請求項４に記載の脈圧測定方法において、
前記高低差を決定する工程は、前記第１位置と前記第２位置との鉛直方向の前記高さの差を計測する高さ計測センサーにより決定されていることを特徴とする脈圧測定方法。
【請求項６】
請求項４又は５に記載の脈圧測定方法において、
前記脈圧を求める工程は、
前記水頭圧と前記血管径との比に基づいて、前記脈圧と前記血管径との間の関係式を予め設定しておき、
前記関係式に前記第２位置による前記血管径の計測値を適用することによって脈圧を求めることを特徴とする脈圧測定方法。
【手続補正書】
【提出日】平成25年7月30日(2013.7.30)
【手続補正１】
【補正対象書類名】特許請求の範囲
【補正対象項目名】全文
【補正方法】変更
【補正の内容】
【特許請求の範囲】
【請求項１】
少なくとも２つのイオン交換膜で画成される室にイオン交換体を充填した脱塩室と、前記脱塩室の一側の前記イオン交換膜の１つを介して隣接して配置された第１の濃縮室と、前記脱塩室の他側の前記他のイオン交換膜を介して隣接して配置された第２の濃縮室と、前記第１の濃縮室と第２の濃縮室の外側にそれぞれ設けられた一対の電極室と、を有してなる本体部と、
前記本体部を挟むように設けられた一対の固定板と、
前記一対の固定板の少なくとも一方と前記本体部との間に配置された弾性体と、を備え、
前記固定板と弾性体により、前記本体部に前記脱塩室、濃縮室および電極室の配列方向の圧縮応力が作用するように、前記弾性体が配置されていることを特徴とする、電気式脱イオン水製造装置。
【請求項２】
前記弾性体が圧縮コイルばねであることを特徴とする、請求項１に記載の電気式脱イオン水製造装置。
【請求項３】
温度変化量の絶対値をΔＴ、
ΔＴだけ温度変化した場合の前記本体部の、前記脱塩室、濃縮室および電極室の配列方向の変位量をａ、
前記本体部の線膨張率をα、
装置組立時における前記本体部の、前記脱塩室、濃縮室および電極室の配列方向の長さをＬ0としたとき、
前記弾性体は、次式
ａ＝α×ΔＴ×Ｌ0
で示される変位量ａ以上のたわみ量を与えた状態で配置されていることを特徴とする、請求項１または請求項２に記載の電気式脱イオン水製造装置。
【請求項４】
隣接した前記脱塩室と前記濃縮室と前記電極室の間にそれぞれガスケットが設けられており、
温度変化量の絶対値をΔＴ、
ΔＴだけ温度変化した場合の前記本体部の、前記脱塩室、濃縮室および電極室の配列方向の変位量をｂ、
前記本体部の線膨張率をα、
装置組立時における前記本体部の、前記脱塩室、濃縮室および電極室の配列方向の長さをＬ0、
装置組立時においてガスケットを潰したときに発生する反発力をＰ、
前記弾性体のばね定数をｋとしたとき、
前記弾性体は、次式
ｂ＝α×ΔＴ×Ｌ0＋Ｐ／ｋ
で示される変位量ｂ以上のたわみ量を与えた状態で配置されていることを特徴とする、請求項１または請求項２に記載の電気式脱イオン水製造装置。
【請求項５】
前記固定板に、前記弾性体が前記たわみ量以上のたわみが生じないようにストッパーが設けられていることを特徴とする、請求項１乃至４のいずれか１項に記載の電気式脱イオン水製造装置。
【請求項６】
前記ストッパーは、前記弾性体である圧縮コイルばねの内側を通されていることを特徴とする、請求項５に記載の電気式脱イオン水製造装置。
【請求項７】
前記ストッパーの長さは、前記圧縮コイルばねの自然長と前記たわみ量の差であることを特徴とする、請求項６に記載の電気式脱イオン水製造装置。
【請求項８】
前記弾性体は、前記脱塩室、濃縮室および電極室の内壁面を前記固定板に投影した線に沿うように、その線上に、又は、その線よりも外側で、かつ前記脱塩室、濃縮室および電極室の外壁面を前記固定板に投影した線よりも内側に複数個配置されていることを特徴とする、請求項１乃至７のいずれか１項に記載の電気式脱イオン製造装置。
【請求項９】
前記弾性体と前記本体部との間に平板を備えたことを特徴とする、請求項１乃至８のいずれか１項に記載の電気式脱イオン水製造装置。
【手続補正２】
【補正対象書類名】明細書
【補正対象項目名】００１４
【補正方法】変更
【補正の内容】
【００１４】
この態様において本発明は、上記脱塩室、濃縮室および電極室を有してなる本体部と、
本体部を挟むように設けられた一対の固定板と、
前記一対の固定板の少なくとも一方と前記本体部との間に配置された弾性体と、を備え、
上記固定板と弾性体により、本体部に脱塩室、濃縮室および電極室の配列方向の圧縮応力が作用するように、弾性体が配置されていることを特徴とする。
【手続補正３】
【補正対象書類名】図面
【補正対象項目名】図３
【補正方法】変更
【補正の内容】
【図３】
2012061388.tif 000001
【手続補正書】
【提出日】平成25年9月17日(2013.9.17)
【手続補正１】
【補正対象書類名】特許請求の範囲
【補正対象項目名】全文
【補正方法】変更
【補正の内容】
【特許請求の範囲】
【請求項１】
遊技球の転動可能な遊技領域が前面に形成された遊技盤と、
遊技者による発射強度の調整操作に応じて前記遊技領域の任意の位置に遊技球を打込むことが可能な発射装置と、
前記遊技領域に設けられた始動口と、
該始動口への遊技球の入賞に基づく始動条件の成立後、開始条件の成立に基づいて複数種類の図柄情報を変動表示して所定の変動期間経過後に表示結果を導出表示する可変表示装置と、
前記開始条件の成立時に予め決められている当選条件が成立するか否かを判定する開始時当落判定手段と、
該開始時当落判定手段に基づいて前記可変表示装置を表示制御する表示制御手段と、
前記開始時当落判定手段によって前記当選条件が成立したと判定されたことに基づいて前記遊技領域に設けられた大入賞口装置を開放状態に制御した後、予め決められている上限数の遊技球の入賞に応じて前記大入賞口装置を閉鎖状態に制御するラウンド制御を所定の開閉回数に亘って実行する利益付与状態に制御する利益付与状態制御手段と、
該利益付与状態制御手段による前記利益付与状態の終了後、所定の終了条件が成立するまで通常よりも有利な有利状態に制御する有利状態制御手段と、を備え、
前記開始時当落判定手段によって前記当選条件が成立したと判定された場合に前記表示制御手段によって前記可変表示装置に特定表示結果を導出表示した後、前記利益付与状態制御手段によって前記利益付与状態に制御する遊技機において、
前記有利状態の終了条件成立前に前記開始時当落判定手段によって再び前記当選条件が成立すると判定されることによって連続的に発生する前記利益付与状態の継続回数を計数する継続回数計数手段と、
該継続回数計数手段の計数結果に応じて前記利益付与状態の継続回数を示す所定数の演出情報を各々予め決められた順序で表出させる示唆演出を、前記利益付与状態制御手段によって実行される前記所定の開閉回数のラウンド制御のうち少なくとも一回のラウンド制御中に実行し、さらに前記利益付与状態の継続回数が所定回数以上であれば所定期間以上経過した時に全ての演出情報を表出し終えるように制御して前記所定期間の経過以前に前記大入賞口装置に前記上限数の遊技球が全て入賞した場合には前記所定数の演出情報のうち一部の演出情報だけが表出するように前記示唆演出を実行する示唆演出実行手段と、を備えることを特徴とする遊技機。
【請求項２】
前記大入賞口装置に遊技球が入賞したことに基づいて予め決められている所定個数の景品遊技球を払い出す払出手段を備えることを特徴とする請求項１記載の遊技機。
【請求項３】
前記表示制御手段は、
前記開始条件が成立したことに基づいて前記変動期間が異なる複数種類の変動パターンの中からいずれかを選択する変動パターン選択手段と、
該変動パターン選択手段によって選択した変動パターンに基づいて前記複数種類の図柄情報を変動表示する変動表示制御手段と、を備えることを特徴とする請求項１又は請求項２に記載の遊技機。
【手続補正２】
【補正対象書類名】明細書
【補正対象項目名】０００７
【補正方法】変更
【補正の内容】
【０００７】
遊技球の転動可能な遊技領域が前面に形成された遊技盤と、
遊技者による発射強度の調整操作に応じて前記遊技領域の任意の位置に遊技球を打込むことが可能な発射装置と、
前記遊技領域に設けられた始動口と、
該始動口への遊技球の入賞に基づく始動条件の成立後、開始条件の成立に基づいて複数種類の図柄情報を変動表示して所定の変動期間経過後に表示結果を導出表示する可変表示装置と、
前記開始条件の成立時に予め決められている当選条件が成立するか否かを判定する開始時当落判定手段と、
該開始時当落判定手段に基づいて前記可変表示装置を表示制御する表示制御手段と、
前記開始時当落判定手段によって前記当選条件が成立したと判定されたことに基づいて前記遊技領域に設けられた大入賞口装置を開放状態に制御した後、予め決められている上限数の遊技球の入賞に応じて前記大入賞口装置を閉鎖状態に制御するラウンド制御を所定の開閉回数に亘って実行する利益付与状態に制御する利益付与状態制御手段と、
該利益付与状態制御手段による前記利益付与状態の終了後、所定の終了条件が成立するまで通常よりも有利な有利状態に制御する有利状態制御手段と、を備え、
前記開始時当落判定手段によって前記当選条件が成立したと判定された場合に前記表示制御手段によって前記可変表示装置に特定表示結果を導出表示した後、前記利益付与状態制御手段によって前記利益付与状態に制御する遊技機において、
前記有利状態の終了条件成立前に前記開始時当落判定手段によって再び前記当選条件が成立すると判定されることによって連続的に発生する前記利益付与状態の継続回数を計数する継続回数計数手段と、
該継続回数計数手段の計数結果に応じて前記利益付与状態の継続回数を示す所定数の演出情報を各々予め決められた順序で表出させる示唆演出を、前記利益付与状態制御手段によって実行される前記所定の開閉回数のラウンド制御のうち少なくとも一回のラウンド制御中に実行し、さらに前記利益付与状態の継続回数が所定回数以上であれば所定期間以上経過した時に全ての演出情報を表出し終えるように制御して前記所定期間の経過以前に前記大入賞口装置に前記上限数の遊技球が全て入賞した場合には前記所定数の演出情報のうち一部の演出情報だけが表出するように前記示唆演出を実行する示唆演出実行手段と、を備えることを特徴とする。
このように構成することにより、遊技者は示唆演出で各々表出される所定数の演出情報によって継続回数を把握することができ、利益付与状態の更なる継続を狙って遊技させることができる。また、全ての演出情報を一度に表出することなく予め決められた順序で表出させるため、遊技球の打込みを調整して大入賞口装置への遊技球の入賞を早めることによって示唆演出の終了を早めたり、大入賞口装置への遊技球の入賞を遅らせることによって示唆演出の終了を遅らせたりすることができる。即ち、遊技者の意思によって継続回数の示唆を調整することができ、継続回数を知りたくない遊技者に知らせてしまうことによる遊技興趣の低下を抑止できる。
また、前記大入賞口装置に遊技球が入賞したことに基づいて予め決められている所定個数の景品遊技球を払い出す払出手段を備えることを特徴とする。
また、前記表示制御手段は、
前記開始条件が成立したことに基づいて前記変動期間が異なる複数種類の変動パターンの中からいずれかを選択する変動パターン選択手段と、
該変動パターン選択手段によって選択した変動パターンに基づいて前記複数種類の図柄情報を変動表示する変動表示制御手段と、を備えることを特徴とする。
【手続補正書】
【提出日】平成25年9月9日(2013.9.9)
【手続補正１】
【補正対象書類名】特許請求の範囲
【補正対象項目名】全文
【補正方法】変更
【補正の内容】
【特許請求の範囲】
【請求項１】
遊技球が入球可能とされる始動口と、
前記始動口への遊技球の入球に基づいて、当たりについての判定処理を行う当たり判定手段と、
前記当たり判定手段による判定処理にて前記当たりが当選されたことに基づいて、賞球が払い出されうる特別遊技を実行する特別遊技実行手段と、
遊技者により操作可能に形成された操作受け部を有する操作手段と、
所定の表示領域にて表示演出が行われる演出表示手段と、
前記演出表示手段にて表示演出が実行されているときに前記操作手段に対する操作機会を遊技者に付与し、この操作機会を利用した前記操作手段に対する操作が行われた場合に、該操作を行った者が認識しうる当たり期待度と前記表示演出を視認しているだけの者が認識しうる当たり期待度との間にギャップを持たせる期待度間隙演出にかかる制御を実行可能な期待度間隙演出制御手段と
を備え、
前記期待度間隙演出制御手段は、
前記操作受け部に対する遊技者の操作があったとき、前記期待度間隙演出にかかる制御として、前記所定の表示領域においては該操作に応じた一の演出画像が出現されるなかで、該操作を行った者だけが当たり期待度の異なる複数の操作感のいずれかを認識しうるように前記操作受け部に対して所定の駆動力を発生させる制御を実行可能な内密駆動制御手段
を有することを特徴とする遊技機。
【手続補正書】
【提出日】平成25年9月17日(2013.9.17)
【手続補正１】
【補正対象書類名】特許請求の範囲
【補正対象項目名】全文
【補正方法】変更
【補正の内容】
【特許請求の範囲】
【請求項１】
始動条件の成立後、開始条件の成立に基づいて複数種類の図柄情報を変動表示して所定の変動期間経過後に表示結果を導出表示する可変表示装置と、
前記開始条件の成立時に予め決められている当選条件が成立するか否かを判定する開始時当落判定手段と、
該開始時当落判定手段に基づいて前記可変表示装置を表示制御する表示制御手段と、
前記開始時当落判定手段によって前記当選条件が成立したと判定されたことに基づいて遊技者に利益を付与する利益付与状態の制御を実行する利益付与状態制御手段と、
該利益付与状態制御手段による前記利益付与状態の終了後、所定の終了条件が成立するまで通常よりも有利な有利状態に制御する有利状態制御手段と、を備え、
前記開始時当落判定手段によって前記当選条件が成立したと判定された場合に前記表示制御手段によって前記可変表示装置に特定表示結果を導出表示した後、前記利益付与状態制御手段によって前記利益付与状態に制御する遊技機において、
前記始動条件の成立時に前記当選条件が成立するか否かを判定する先行判定手段と、
該先行判定手段により前記当選条件が成立すると判定したことに基づいて前記当選条件が成立することを示唆する先行演出を実行するか否かを判定する先行演出判定手段と、
該先行演出判定手段が前記先行演出を実行すると判定したことに基づいて前記先行演出を実行すると判定された始動条件に基づく前記開始条件が成立する以前に前記先行演出を実行する先行演出実行手段と、を備え、
前記表示制御手段は、
前記有利状態中に前記開始時当落判定手段によって前記当選条件が成立したと判定されなかった場合に前記複数種類の図柄情報を変動表示して通常よりも短い短縮変動期間の経過後に前記特定表示結果とは異なる非特定表示結果を導出表示する短縮変動表示手段と、
少なくとも前記有利状態中に前記先行演出判定手段が前記先行演出を実行すると判定した始動条件に基づく前記開始条件が成立した場合に前記複数種類の図柄情報を変動表示して前記短縮変動期間又は該短縮変動期間よりも短い超短縮変動期間の経過後に前記特定表示結果を導出表示する特別変動表示手段と、を備えることを特徴とする遊技機。
【請求項２】
遊技球の転動可能な遊技領域が前面に形成された遊技盤と、
遊技者による発射強度の調整操作に応じて前記遊技領域の任意の位置に遊技球を打込むことが可能な発射装置と、
前記遊技領域に設けられた始動口と、をさらに備え、
前記始動条件は、前記始動口への遊技球の入賞に基づいて成立することを特徴とする請求項１記載の遊技機。
【請求項３】
前記遊技領域に設けられて遊技球を受入可能な開放状態と遊技球を受入困難な閉鎖状態とに変化する大入賞口装置を更に備え、
前記利益付与状態制御手段は、前記大入賞口装置を開閉制御して前記利益付与状態に制御することを特徴とする請求項２に記載の遊技機。
【手続補正２】
【補正対象書類名】明細書
【補正対象項目名】０００６
【補正方法】変更
【補正の内容】
【０００６】
始動条件の成立後、開始条件の成立に基づいて複数種類の図柄情報を変動表示して所定の変動期間経過後に表示結果を導出表示する可変表示装置と、
前記開始条件の成立時に予め決められている当選条件が成立するか否かを判定する開始時当落判定手段と、
該開始時当落判定手段に基づいて前記可変表示装置を表示制御する表示制御手段と、
前記開始時当落判定手段によって前記当選条件が成立したと判定されたことに基づいて遊技者に利益を付与する利益付与状態の制御を実行する利益付与状態制御手段と、
該利益付与状態制御手段による前記利益付与状態の終了後、所定の終了条件が成立するまで通常よりも有利な有利状態に制御する有利状態制御手段と、を備え、
前記開始時当落判定手段によって前記当選条件が成立したと判定された場合に前記表示制御手段によって前記可変表示装置に特定表示結果を導出表示した後、前記利益付与状態制御手段によって前記利益付与状態に制御する遊技機において、
前記始動条件の成立時に前記当選条件が成立するか否かを判定する先行判定手段と、
該先行判定手段により前記当選条件が成立すると判定したことに基づいて前記当選条件が成立することを示唆する先行演出を実行するか否かを判定する先行演出判定手段と、
該先行演出判定手段が前記先行演出を実行すると判定したことに基づいて前記先行演出を実行すると判定された始動条件に基づく前記開始条件が成立する以前に前記先行演出を実行する先行演出実行手段と、を備え、
前記表示制御手段は、
前記有利状態中に前記開始時当落判定手段によって前記当選条件が成立したと判定されなかった場合に前記複数種類の図柄情報を変動表示して通常よりも短い短縮変動期間の経過後に前記特定表示結果とは異なる非特定表示結果を導出表示する短縮変動表示手段と、
少なくとも前記有利状態中に前記先行演出判定手段が前記先行演出を実行すると判定した始動条件に基づく前記開始条件が成立した場合に前記複数種類の図柄情報を変動表示して前記短縮変動期間又は該短縮変動期間よりも短い超短縮変動期間の経過後に前記特定表示結果を導出表示する特別変動表示手段と、を備えることを特徴とする。
このように構成することにより、有利状態時の単位時間当たりの変動回数を増大させて当選条件が成立するか否かの判定頻度を増大させることができ、長期間に亘って変動表示が実行されることによる遊技興趣の低下を抑止できる。また、先行演出を実行する場合に複数種類の図柄情報を変動表示して短縮変動期間又は該短縮変動期間よりも短い超短縮変動期間の経過後に特定表示結果を導出表示させるため、遊技興趣の低下を抑止できる。
また、遊技球の転動可能な遊技領域が前面に形成された遊技盤と、
遊技者による発射強度の調整操作に応じて前記遊技領域の任意の位置に遊技球を打込むことが可能な発射装置と、
前記遊技領域に設けられた始動口と、をさらに備え、
前記始動条件は、前記始動口への遊技球の入賞に基づいて成立することを特徴とする。
また、前記遊技領域に設けられて遊技球を受入可能な開放状態と遊技球を受入困難な閉鎖状態とに変化する大入賞口装置を更に備え、
前記利益付与状態制御手段は、前記大入賞口装置を開閉制御して前記利益付与状態に制御することを特徴とする。
【手続補正書】
【提出日】平成25年4月2日(2013.4.2)
【手続補正１】
【補正対象書類名】特許請求の範囲
【補正対象項目名】全文
【補正方法】変更
【補正の内容】
【特許請求の範囲】
【請求項１】
本体ケース（１）と、肌面を冷却するヘッド（２）、およびヘッド（２）を冷却するための熱電変換素子（４４）を含む冷却部（１２）と、冷却部（１２）に接続される放熱用のヒートシンク（３０）と、ヒートシンク（３０）に熱交換風を供給する送風ファン（３１）とを備えており、
本体ケース（１）の内部に、熱電変換素子（４４）の駆動を制御する制御回路（８７）が配置される電気部品エリア（１５）と、ヒートシンク（３０）および送風ファン（３１）が配置される通風エリア（１３）を有し、
通風エリア（１３）を形成する壁に空気の吸込み口（６１）と排出口（６２）が開口されており、
通風エリア（１３）と電気部品エリア（１５）が、本体ケース（１）の内部に固定したカバー体（１８）で区画してあることを特徴とする美容器具。
【請求項２】
冷却部（１２）が、本体ケース（１）の上部に配置されており、
熱電変換素子（４４）の高温面側に、熱電変換素子（４４）の高温面側で発生する熱を放出するヒートシンク（３０）が配置されており、
ヒートシンク（３０）が、冷却部（１２）からカバー体（１８）の外面にわたって縦長に配置してある請求項１に記載の美容器具。
【請求項３】
ヒートシンク（３０）の下方に冷却風を送給する送風ファン（３１）が配置されており、
ヒートシンク（３０）は、板状のシンクベース（５４）と、シンクベース（５４）に突設される多数個のフィン（５５）とを備えており、
カバー体（１８）の外面の上部がシンクベース（５４）で覆われている請求項２に記載の美容器具。
【請求項４】
シンクベース（５４）の上下中途部に段違い部（５７）が形成してある請求項３に記載の美容器具。
【手続補正書】
【提出日】平成25年9月12日(2013.9.12)
【手続補正１】
【補正対象書類名】特許請求の範囲
【補正対象項目名】全文
【補正方法】変更
【補正の内容】
【特許請求の範囲】
【請求項１】
シートに画像を印刷するための印刷動作を実行する印刷手段と、
前記印刷手段によって実行される印刷動作によって画像が印刷されたシートを排紙部に排紙する排紙手段と、
前記印刷手段によって実行される印刷動作中にサンプル印刷の要求を受付けた場合に、前記印刷手段によってサンプル印刷を実行し、サンプル印刷されたページを前記排紙部とは異なる排紙先に排紙するサンプル印刷制御手段と、
前記排紙手段が前記排紙部の第１の排紙場所にシートを排紙する印刷動作中に前記サンプル印刷の要求を受付けた場合に、当該第１の排紙場所に排紙されるシートより後に排紙されるシートの排紙先を前記第１の排紙場所とは異なる第２の排紙場所に変更する排紙制御手段とを備えることを特徴とする印刷装置。
【請求項２】
前記サンプル印刷を実行する条件を設定する設定手段を更に有し、
前記サンプル印刷制御手段は、前記設定手段によって設定された条件に従って、前記サンプル印刷を実行し、サンプル印刷されたページを前記排紙部とは異なる排紙先に排紙することを特徴とする請求項１に記載の印刷装置。
【請求項３】
前記第１の排紙場所と前記第２の排紙場所は、同じ排紙装置における異なる排紙位置であることを特徴とする請求項１または２に記載の印刷装置。
【請求項４】
前記第１の排紙場所と前記第２の排紙場所は、異なる排紙装置であることを特徴とする請求項１または２に記載の印刷装置。
【請求項５】
前記印刷手段によって所定の部数の印刷動作を実行するたびに、シートの排紙位置を前記第１の排紙場所と前記第２の排紙場所との間で変更する排紙場所変更手段と、
前記排紙制御手段による排紙場所の変更と、前記排紙場所変更手段による排紙場所の変更の両方を実行することを制限する制限手段とをさらに備えることを特徴とする請求項１乃至４のいずれか１項に記載の印刷装置。
【請求項６】
シートに画像を印刷するための印刷動作を実行する印刷工程と、
前記印刷工程で実行される印刷動作によって画像が印刷されたシートを排紙部に排紙する排紙工程と、
前記印刷工程で実行される印刷動作中にサンプル印刷の要求を受付けた場合に、前記印刷工程でサンプル印刷を実行し、サンプル印刷されたページを前記排紙部とは異なる排紙先に排紙するサンプル印刷制御工程と、
前記排紙工程で前記排紙部の第１の排紙場所にシートを排紙する印刷動作中に前記サンプル印刷の要求を受付けた場合に、当該第１の排紙場所に排紙されるシートより後に排紙されるシートの排紙先を前記第１の排紙場所とは異なる第２の排紙場所に変更する排紙制御工程とを備えることを特徴とする印刷装置の制御方法。
【請求項７】
請求項６に記載された印刷装置の制御方法を、コンピュータに実行させるためのプログラム。
【手続補正２】
【補正対象書類名】明細書
【補正対象項目名】０００８
【補正方法】変更
【補正の内容】
【０００８】
本発明の印刷装置は、シートに画像を印刷するための印刷動作を実行する印刷手段と、前記印刷手段によって実行される印刷動作によって画像が印刷されたシートを排紙部に排紙する排紙手段と、前記印刷手段によって実行される印刷動作中にサンプル印刷の要求を受付けた場合に、前記印刷手段によってサンプル印刷を実行し、サンプル印刷されたページを前記排紙部とは異なる排紙先に排紙するサンプル印刷制御手段と、前記排紙手段が前記排紙部の第１の排紙場所にシートを排紙する印刷動作中に前記サンプル印刷の要求を受付けた場合に、当該第１の排紙場所に排紙されるシートより後に排紙されるシートの排紙先を前記第１の排紙場所とは異なる第２の排紙場所に変更する排紙制御手段とを備えることを特徴とする。
【手続補正書】
【提出日】平成25年8月23日(2013.8.23)
【手続補正１】
【補正対象書類名】特許請求の範囲
【補正対象項目名】全文
【補正方法】変更
【補正の内容】
【特許請求の範囲】
【請求項１】
ヘッドユニットが搭載され、往復動自在に構成されたキャリッジと、
前記キャリッジの外部に設けられ、前記ヘッドユニットにインクを供給するインクタンクユニットと、
前記インクタンクユニットと前記ヘッドユニットとを接続する複数本のインクチューブと、
前記複数本のチューブを保持するチューブホルダと、
前記キャリッジに形成され、前記チューブホルダを介して前記複数本のチューブを支持する支持ベースと、
前記チューブホルダを構成し、前記複数本のチューブを受けるチューブ受け面を有するチューブ受け部材と、
前記チューブホルダを構成し、前記チューブ受け部材にスナップイン形式で装着され、前記複数本のチューブを前記チューブ受け面との間に押えるチューブ押え面を有するチューブ押え部材と、
前記チューブ受け部材および前記チューブ押え部材の少なくとも一方に設けられ、前記複数本のチューブを幅規制により整列させる一対の整列壁部と、
を備えたことを特徴とする記録装置。
【請求項２】
前記チューブ押え部材を、前記チューブ受け部材に締結する締結部材を更に備え、
前記締結部材は、前記チューブホルダを前記支持ベースに締結する締結部材を兼ねていることを特徴とする請求項１に記載の記録装置。
【請求項３】
前記締結部材は、前記チューブ押え部材と前記チューブホルダとを共締めにより、前記支持ベースにネジ止めする固定ネジであることを特徴とする請求項２に記載の記録装置。
【請求項４】
前記キャリッジと前記支持ベースとは、一体に形成されていることを特徴とする請求項１に記載の記録装置。
【請求項５】
前記複数本のチューブに添設され、前記複数本のチューブと共に前記キャリッジの往復動に伴って追従変形する可撓性の保護プレートを、更に備え、
前記保護プレートの前記ヘッドユニット側の端部は、前記複数本のチューブと共に前記チューブホルダにより、前記支持ベースに支持されていることを特徴とする請求項１に記載の記録装置。
【請求項６】
前記各チューブの周面には、視認により前記チューブの捩れの有無を判別するための線状のマークが設けられていることを特徴とする請求項１に記載の記録装置。
【手続補正２】
【補正対象書類名】明細書
【補正対象項目名】発明の名称
【補正方法】変更
【補正の内容】
【発明の名称】記録装置
【手続補正３】
【補正対象書類名】明細書
【補正対象項目名】０００１
【補正方法】変更
【補正の内容】
【０００１】
本発明は、記録装置に関するものである。
【手続補正４】
【補正対象書類名】明細書
【補正対象項目名】０００６
【補正方法】変更
【補正の内容】
【０００６】
本発明の記録装置は、ヘッドユニットが搭載され、往復動自在に構成されたキャリッジと、前記キャリッジの外部に設けられ、前記ヘッドユニットにインクを供給するインクタンクユニットと、前記インクタンクユニットと前記ヘッドユニットとを接続する複数本のインクチューブと、前記複数本のチューブを保持するチューブホルダと、前記キャリッジに形成され、前記チューブホルダを介して前記複数本のチューブを支持する支持ベースと、  前記チューブホルダを構成し、前記複数本のチューブを受けるチューブ受け面を有するチューブ受け部材と、前記チューブホルダを構成し、前記チューブ受け部材にスナップイン形式で装着され、前記複数本のチューブを前記チューブ受け面との間に押えるチューブ押え面を有するチューブ押え部材と、前記チューブ受け部材および前記チューブ押え部材の少なくとも一方に設けられ、前記複数本のチューブを幅規制により整列させる一対の整列壁部と、を備えたことを特徴とする。
【手続補正書】
【提出日】平成25年8月8日(2013.8.8)
【手続補正１】
【補正対象書類名】特許請求の範囲
【補正対象項目名】全文
【補正方法】変更
【補正の内容】
【特許請求の範囲】
【請求項１】
液体を吐出するノズル列を有するノズル板と液体を加圧する圧力室を有する流路部材とを含んで構成される流路ユニットと、前記圧力室を加圧するエネルギーを発生するアクチュエータと、前記流路ユニットへの液体供給路が形成されるフレーム部材とを有する液体吐出ヘッドにおいて、
前記ノズル板は、前記ノズル列方向或いは前記ノズル列と直交する方向に、前記流路部材の幅よりも伸びた延長部を有し、
前記延長部が前記流路部材より伸びた部分で前記フレーム部材側に折り曲げられて前記フレーム部材に接合されており、
折り曲げ後に前記流路部材の側面の少なくとも一部に対向する前記ノズル板内側に凹部が形成され、
前記ノズル板の折り曲げ部にも凹部を有し、
前記折り曲げ部の凹部は、前記流路部材の側面に対向する凹部よりも深さが深く形成されている
ことを特徴とする液体吐出ヘッド。
【請求項２】
前記ノズル板の凹部がハーフエッチングにより形成されていることを特徴とする請求項１に記載の液体吐出ヘッド。
【請求項３】
前記ノズル板の凹部がプレスによる潰しにより形成されていることを特徴とする請求項１又は２に記載の液体吐出ヘッド。
【請求項４】
前記ノズル板の凹部がノズル板の曲げにより形成されていることを特徴とする請求項１又は２に記載の液体吐出ヘッド。
【請求項５】
前記流路部材の側面に対向する凹部がハーフエッチング又は曲げにより形成され、前記折り曲げ部の凹部はプレスによる潰しにより形成されていることを特徴とする請求項１に記載の液体吐出ヘッド。
【請求項６】
前記アクチュエータは圧電素子と前記圧電素子を支持するベース部材とからなり、
前記流路ユニットは前記圧力室の壁面を形成する振動板部材を含み、
前記流路部材の側面に対向する凹部は前記振動板部材の側面に対向する位置まで達して形成されていることを特徴とする請求項１ないし５のいずれかに記載の液体吐出ヘッド。
【請求項７】
請求項１ないし６のいずれかに記載の液体吐出ヘッドを備えていることを特徴とする画像形成装置。
【手続補正２】
【補正対象書類名】明細書
【補正対象項目名】発明の名称
【補正方法】変更
【補正の内容】
【発明の名称】液体吐出ヘッド及び画像形成装置
【手続補正３】
【補正対象書類名】明細書
【補正対象項目名】０００１
【補正方法】変更
【補正の内容】
【０００１】
本発明は液体吐出ヘッド及び画像形成装置に関する。
【手続補正４】
【補正対象書類名】明細書
【補正対象項目名】００１１
【補正方法】変更
【補正の内容】
【００１１】
上記の課題を解決するため、本発明に係る液体吐出ヘッドは、
液体を吐出するノズル列を有するノズル板と液体を加圧する圧力室を有する流路部材とを含んで構成される流路ユニットと、前記圧力室を加圧するエネルギーを発生するアクチュエータと、前記流路ユニットへの液体供給路が形成されるフレーム部材とを有する液体吐出ヘッドにおいて、
前記ノズル板は、前記ノズル列方向或いは前記ノズル列と直交する方向に、前記流路部材の幅よりも伸びた延長部を有し、
前記延長部が前記流路部材より伸びた部分で前記フレーム部材側に折り曲げられて前記フレーム部材に接合されており、
折り曲げ後に前記流路部材の側面の少なくとも一部に対向する前記ノズル板内側に凹部が形成され、
前記ノズル板の折り曲げ部にも凹部を有し、
前記折り曲げ部の凹部は、前記流路部材の側面に対向する凹部よりも深さが深く形成されている
構成とした。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００２０
【補正方法】変更
【補正の内容】
【００２０】
本発明に係る液体吐出ヘッドによれば、ノズル板の延長部の折り曲げが容易になり、確実にノズル板の延長部をヘッドフレーム部材の外面に接合でき、液室部品の接着剥離の問題も発生せず、液体のリークなどを防止できる。
【手続補正書】
【提出日】平成25年7月31日(2013.7.31)
【手続補正１】
【補正対象書類名】特許請求の範囲
【補正対象項目名】全文
【補正方法】変更
【補正の内容】
【特許請求の範囲】
【請求項１】
現在地を検出する現在地検出手段と、
地図データを記憶する地図データ記憶手段と、
前記現在地検出手段により検出された現在地と前記地図データ記憶手段により記憶される地図データとに基づいて地図を表示モニタに表示する地図表示手段と、
複数の地域の気象情報を受信する気象情報受信手段と、を備え、
前記地図表示手段は、
前記表示モニタに表示される地図上において、第一の地域に対応する気象情報を示すアイコンを前記第一の地域に対応する位置に表示し、
前記表示モニタに表示される地図上において、前記第一の地域から離れた第二の地域に対応する気象情報を示すアイコンを前記第二の地域に対応する位置に表示し、
前記表示モニタに表示される地図上において、前記第二の地域から離れた第三の地域に対応する気象情報を示すアイコンを前記第三の地域に対応する位置に表示することを特徴とする地図表示装置。
【請求項２】
請求項１に記載の地図表示装置において、
前記表示モニタに表示される地図上において、前記第一の地域から略予め定められた距離だけ離れた第二の地域に対応する気象情報を示すアイコンを前記第二の地域に対応する位置に表示し、
前記表示モニタに表示される地図上において、前記第二の地域から略前記予め定められた距離だけ離れた第三の地域に対応する気象情報を示すアイコンを前記第三の地域に対応する位置に表示することを特徴とする地図表示装置。
【請求項３】
請求項１または２に記載の地図表示装置において、
前記第一の地域、前記第二の地域、及び前記第三の地域は、略直線状に位置することを特徴とする地図表示装置。
【請求項４】
請求項１〜３のいずれか一項に記載の地図表示装置において、
前記第一の地域、前記第二の地域、及び前記第三の地域は何れも、前記表示モニタ上の固定位置に対応する地域であることを特徴とする地図表示装置。
【請求項５】
現在地を検出し、
地図データを記憶し、
前記検出された現在地と前記記憶される地図データとに基づいて地図を表示モニタに表示し、
複数の地域の気象情報を受信する地図表示方法であって、
前記表示モニタへの地図の表示は、
前記表示モニタに表示される地図上において、第一の地域に対応する気象情報を示すアイコンを前記第一の地域に対応する位置に表示し、
前記表示モニタに表示される地図上において、前記第一の地域から離れた第二の地域に対応する気象情報を示すアイコンを前記第二の地域に対応する位置に表示し、
前記表示モニタに表示される地図上において、前記第二の地域から離れた第三の地域に対応する気象情報を示すアイコンを前記第三の地域に対応する位置に表示することを特徴とする地図表示方法。
【請求項６】
請求項７に記載の地図表示方法において、
前記表示モニタに表示される地図上において、前記第一の地域から略予め定められた距離だけ離れた第二の地域に対応する気象情報を示すアイコンを前記第二の地域に対応する位置に表示し、
前記表示モニタに表示される地図上において、前記第二の地域から略前記予め定められた距離だけ離れた第三の地域に対応する気象情報を示すアイコンを前記第三の地域に対応する位置に表示することを特徴とする地図表示方法。
【請求項７】
請求項５または６に記載の地図表示方法において、
前記第一の地域、前記第二の地域、及び前記第三の地域は、略直線状に位置することを特徴とする地図表示方法。
【請求項８】
請求項５〜７のいずれか一項に記載の地図表示方法において、
前記第一の地域、前記第二の地域、及び前記第三の地域は何れも、前記表示モニタ上の固定位置に対応する地域であることを特徴とする地図表示方法。
【手続補正２】
【補正対象書類名】明細書
【補正対象項目名】発明の名称
【補正方法】変更
【補正の内容】
【発明の名称】地図表示装置および地図表示方法
【手続補正３】
【補正対象書類名】明細書
【補正対象項目名】０００１
【補正方法】変更
【補正の内容】
【０００１】
本発明は、気象情報を地図に重ねて表示する地図表示装置および地図表示方法に関する。
【手続補正４】
【補正対象書類名】明細書
【補正対象項目名】０００４
【補正方法】変更
【補正の内容】
【０００４】
本発明による地図表示装置は、現在地を検出する現在地検出手段と、地図データを記憶する地図データ記憶手段と、現在地検出手段により検出された現在地と地図データ記憶手段により記憶される地図データとに基づいて地図を表示モニタに表示する地図表示手段と、複数の地域の気象情報を受信する気象情報受信手段と、を備え、地図表示手段は、表示モニタに表示される地図上において、第一の地域に対応する気象情報を示すアイコンを第一の地域に対応する位置に表示し、表示モニタに表示される地図上において、第一の地域から離れた第二の地域に対応する気象情報を示すアイコンを第二の地域に対応する位置に表示し、表示モニタに表示される地図上において、第二の地域から離れた第三の地域に対応する気象情報を示すアイコンを第三の地域に対応する位置に表示することを特徴とする。
本発明による地図表示方法は、現在地を検出し、地図データを記憶し、検出された現在地と記憶される地図データとに基づいて地図を表示モニタに表示し、複数の地域の気象情報を受信する地図表示方法であって、表示モニタへの地図の表示は、表示モニタに表示される地図上において、第一の地域に対応する気象情報を示すアイコンを第一の地域に対応する位置に表示し、表示モニタに表示される地図上において、第一の地域から離れた第二の地域に対応する気象情報を示すアイコンを第二の地域に対応する位置に表示し、表示モニタに表示される地図上において、第二の地域から離れた第三の地域に対応する気象情報を示すアイコンを第三の地域に対応する位置に表示することを特徴とする。
【手続補正書】
【提出日】平成25年10月2日(2013.10.2)
【手続補正１】
【補正対象書類名】特許請求の範囲
【補正対象項目名】全文
【補正方法】変更
【補正の内容】
【特許請求の範囲】
【請求項１】
第１のトランジスタを有するシフトレジスタ回路と、
第２のトランジスタを有するラッチ回路と、を有し、
前記第２のトランジスタのゲート絶縁膜は、前記第１のトランジスタのゲート絶縁膜よりも薄いことを特徴とする半導体装置。
【請求項２】
請求項１において、
第３のトランジスタを有するレベルシフタ回路と、
第４のトランジスタを有するＤ／Ａ変換回路と、を有し、
前記第１のトランジスタのチャネル長は、前記第３のトランジスタのチャネル長及び前記第４のトランジスタのチャネル長よりも短く、
前記第２のトランジスタのチャネル長は、前記第３のトランジスタのチャネル長及び前記第４のトランジスタのチャネル長よりも短いことを特徴とする半導体装置。